(57)【要約】  放射線検出装置は、放射線を蛍光に変換するシンチレータと、前記蛍光を電気信号に変換する光電変換部と、前記光電変換部にリセット光を照射するリセット光源部とを有し、前記システム制御部は、リセット無効指示に基づいて、前記リセット光源部からの前記リセット光の照射を無効にする光リセット無効部とを有する。
2013061762.tif 000002
【特許請求の範囲】
【請求項１】
放射線源（３４）を有する放射線照射装置（２８）と、被写体（２４）を透過した前記放射線源（３４）からの放射線（２６）を放射線画像に変換して出力する放射線検出装置（３０）と、を有する放射線画像撮影装置（１２）と、
前記放射線画像撮影装置（１２）を、設定されたフレームレートで放射線撮影を実行するように制御するシステム制御部（１４）と、を有し、
前記放射線検出装置（３０）は、前記放射線（２６）を蛍光に変換するシンチレータ（７０）と、前記蛍光を電気信号に変換する光電変換部（７２）と、前記光電変換部（７２）にリセット光を照射するリセット光源部（９４）とを有し、
前記システム制御部（１４）は、リセット無効指示（Ｓｎ）に基づいて、前記リセット光源部（９４）からの前記リセット光の照射を無効にする光リセット無効部（１６２）とを有することを特徴とする放射線画像撮影システム。
【請求項２】
請求項１記載の放射線画像撮影システムにおいて、
さらに、操作入力に基づいて、前記リセット無効指示（Ｓｎ）を出力するリセット無効スイッチ（１５６）を有し、
前記光リセット無効部（１６２）は、
前記リセット無効スイッチ（１５６）からの前記リセット無効指示（Ｓｎ）の入力に基づいて、前記リセット光源部（９４）からの前記リセット光の照射を無効にすることを特徴とする放射線画像撮影システム。
【請求項３】
請求項１又は２記載の放射線画像撮影システムにおいて、
前記光リセット無効部（１６２）は、
前記リセット無効指示（Ｓｎ）が入力されている期間だけ、前記リセット光源部（９４）からの前記リセット光の照射を無効にすることを特徴とする放射線画像撮影システム。
【請求項４】
請求項１記載の放射線画像撮影システムにおいて、
前記システム制御部（１４）は、さらに、
前記放射線検出装置（３０）からの前記放射線画像の解析結果に基づいて、前記リセット無効指示（Ｓｎ）を出力するリセット無効指示部（１９６）を有し、
前記光リセット無効部（１６２）は、
前記リセット無効指示（Ｓｎ）の入力に基づいて、前記リセット光源部（９４）からの前記リセット光の照射を無効にすることを特徴とする放射線画像撮影システム。
【請求項５】
請求項４記載の放射線画像撮影システムにおいて、
前記リセット無効指示部（１９６）は、
前記放射線検出装置（３０）からの放射線画像のうち、指定された前記被写体（２４）の特定画像と、前記被写体（２４）に挿入された器具の画像との位置関係に基づいて、前記リセット無効指示（Ｓｎ）を出力することを特徴とする放射線画像撮影システム。
【請求項６】
請求項５記載の放射線画像撮影システムにおいて、
前記リセット無効指示部（１９６）は、
指定された前記被写体（２４）の特定画像と、前記被写体（２４）に挿入された器具の画像が、予め設定された位置関係にある期間にかけて、前記リセット無効指示（Ｓｎ）を出力し、
前記光リセット無効部（１６２）は、
前記リセット無効指示（Ｓｎ）が入力されている期間だけ、前記リセット光源部（９４）からの前記リセット光の照射を無効にすることを特徴とする放射線画像撮影システム。
【請求項７】
請求項６記載の放射線画像撮影システムにおいて、
前記予め設定された位置関係は、前記特定画像に前記器具の画像の一部が入り込んでいる関係であることを特徴とする放射線画像撮影システム。
【請求項８】
請求項１〜７のいずれか１項に記載の放射線画像撮影システムにおいて、
強制リセット指示（Ｓｒ）に基づいて、強制的に前記リセット光源部（９４）から前記リセット光を照射させる強制光リセット部（１６４）を有することを特徴とする放射線画像撮影システム。
【請求項９】
請求項８記載の放射線画像撮影システムにおいて、
さらに、操作入力に基づいて、前記強制リセット指示（Ｓｒ）を出力する強制リセットスイッチ（１５８）を有し、
前記強制光リセット部（１６４）は、
前記強制リセットスイッチ（１５８）からの前記強制リセット指示（Ｓｒ）の入力に基づいて、強制的に前記リセット光源部（９４）から前記リセット光を照射させることを特徴とする放射線画像撮影システム。
【請求項１０】
請求項９記載の放射線画像撮影システムにおいて、
前記システム制御部（１４）は、さらに、
前記強制リセットスイッチ（１５８）を操作する目安となるガイダンスを出力するガイダンス出力部（１７４）を有することを特徴とする放射線画像撮影システム。
【請求項１１】
請求項１０記載の放射線画像撮影システムにおいて、
前記ガイダンスは、前記放射線画像の残像状況であることを特徴とする放射線画像撮影システム。
【請求項１２】
請求項１１記載の放射線画像撮影システムにおいて、
前記ガイダンス出力部（１７４）は、さらに、
最後の前記リセット光の照射から前記放射線検出装置（３０）に蓄積される累積被曝線量を演算する累積被曝線量演算部（１７６）を有し、
前記累積被曝線量を、前記放射線画像の残像状況として出力することを特徴とする放射線画像撮影システム。
【請求項１３】
請求項１０記載の放射線画像撮影システムにおいて、
前記ガイダンスは、最後の前記リセット光の照射からの経過時間であることを特徴とする放射線画像撮影システム。
【請求項１４】
請求項８記載の放射線画像撮影システムにおいて、
前記強制光リセット部（１６４）は、
外部からの前記強制リセット指示（Ｓｒ）が入力された段階で、強制的に前記リセット光源部（９４）から前記リセット光を照射させることを特徴とする放射線画像撮影システム。
【請求項１５】
請求項８記載の放射線画像撮影システムにおいて、
前記システム制御部（１４）は、さらに、
前記放射線検出装置（３０）からの前記放射線画像の解析結果に基づいて、前記強制リセット指示（Ｓｒ）を出力する強制リセット指示部（２０６）を有することを特徴とする放射線画像撮影システム。
【請求項１６】
請求項１５記載の放射線画像撮影システムにおいて、
前記強制リセット指示部（２０６）は、
前記放射線検出装置（３０）からの放射線画像のうち、指定された前記被写体（２４）の特定画像と、前記被写体（２４）に挿入された器具の画像との位置関係に基づいて、前記強制リセット指示（Ｓｒ）を出力することを特徴とする放射線画像撮影システム。
【請求項１７】
請求項１６記載の放射線画像撮影システムにおいて、
前記強制リセット指示部（２０６）は、さらに、
複数の前記放射線画像に基づいて、前記器具の画像の移動方向と移動速度を求める移動ベクトル演算部（２０８）を有し、
前記器具の画像の移動方向が前記特定画像に向かう方向であって、且つ、前記器具の画像が前記特定画像に到達する前に、前記強制リセット指示（Ｓｒ）を出力することを特徴とする放射線画像撮影システム。
【請求項１８】
請求項１７記載の放射線画像撮影システムにおいて、
前記強制リセット指示部（２０６）は、
前記器具の画像の移動方向が前記特定画像に向かう方向であって、且つ、前記器具の画像が前記特定画像に到達するまでの時間が予め設定された時間となった段階で、前記強制リセット指示（Ｓｒ）を出力することを特徴とする放射線画像撮影システム。
【請求項１９】
放射線（２６）を蛍光に変換するシンチレータ（７０）と、
前記蛍光を電気信号に変換する光電変換部（７２）と、
前記光電変換部（７２）にリセット光を照射するリセット光源部（９４）と、
リセット無効指示（Ｓｎ）に基づいて、前記リセット光源部（９４）からの前記リセット光の照射を無効にする光リセット無効部（１６２）とを有することを特徴とする放射線検出装置。
【請求項２０】
請求項１９記載の放射線検出装置において、
さらに、操作入力に基づいて、前記リセット無効指示（Ｓｎ）を出力するリセット無効スイッチ（１５６）を有し、
前記光リセット無効部（１６２）は、
前記リセット無効スイッチ（１５６）からの前記リセット無効指示（Ｓｎ）の入力に基づいて、前記リセット光源部（９４）からの前記リセット光の照射を無効にすることを特徴とする放射線検出装置。
【請求項２１】
請求項２０記載の放射線検出装置において、
前記光リセット無効部（１６２）は、
前記リセット無効指示（Ｓｎ）が入力されている期間だけ、前記リセット光源部（９４）からの前記リセット光の照射を無効にすることを特徴とする放射線検出装置。
【請求項２２】
請求項１９記載の放射線検出装置において、
前記光リセット無効部（１６２）は、
外部からのリセット無効指示（Ｓｎ）が入力されている期間だけ、前記リセット光源部（９４）からの前記リセット光の照射を無効にすることを特徴とする放射線検出装置。
【請求項２３】
請求項１９〜２２のいずれか１項に記載の放射線検出装置において、
強制リセット指示（Ｓｒ）に基づいて、強制的に前記リセット光源部（９４）から前記リセット光を照射させる強制光リセット部（１６４）を有することを特徴とする放射線検出装置。
【請求項２４】
請求項２３記載の放射線検出装置において、
さらに、操作入力に基づいて、前記強制リセット指示（Ｓｒ）を出力する強制リセットスイッチ（１５８）を有し、
前記強制光リセット部（１６４）は、
前記強制リセットスイッチ（１５８）からの前記強制リセット指示（Ｓｒ）の入力に基づいて、強制的に前記リセット光源部（９４）から前記リセット光を照射させることを特徴とする放射線検出装置。
【請求項２５】
請求項２４記載の放射線検出装置において、
さらに、前記強制リセットスイッチ（１５８）を操作する目安となるガイダンスを出力するガイダンス出力部（１７４）を有することを特徴とする放射線検出装置。
【請求項２６】
請求項２５記載の放射線検出装置において、
前記ガイダンスは、放射線画像の残像状況であることを特徴とする放射線検出装置。
【請求項２７】
請求項２６記載の放射線検出装置において、
前記ガイダンス出力部（１７４）は、さらに、
最後の前記リセット光の照射から前記放射線検出装置（３０）に蓄積される累積被曝線量を演算する累積被曝線量演算部（１７６）を有し、
前記累積被曝線量を、前記放射線画像の残像状況として出力することを特徴とする放射線検出装置。
【請求項２８】
請求項２５記載の放射線検出装置において、
前記ガイダンスは、最後の前記リセット光の照射からの経過時間であることを特徴とする放射線検出装置。
【請求項２９】
請求項２３記載の放射線検出装置において、
前記強制光リセット部（１６４）は、
外部からの前記強制リセット指示（Ｓｒ）が入力された段階で、強制的に前記リセット光源部（９４）から前記リセット光を照射させることを特徴とする放射線検出装置。
【発明の詳細な説明】
【技術分野】
【０００１】
本発明は、放射線を蛍光に変換するシンチレータと、前記蛍光を電気信号に変換する光電変換部とを有する放射線検出装置を具備した放射線画像撮影システムと、放射線検出装置とに関する。
【背景技術】
【０００２】
医療分野において、放射線源から被写体に放射線を照射し、該被写体を透過した前記放射線を放射線検出装置で検出することにより、前記被写体の放射線画像を取得することが広汎に行われている（例えば特開２００６−１４０５９２号公報参照）。【０００３】
放射線検出装置は、放射線をシンチレータ等で可視光に変換してから、フォトダイオード等で電荷に変換する間接型と、放射線を半導体材料で直接吸収、電荷に変換する直接型とに大別される。【０００４】
しかしながら、上述の放射線検出装置は、透視撮影やアンギオグラフィ（ＤＳＡ）等のような高速動画撮影の際において、１回あるいは連続した高放射線量のＸ線が入射した直後に、蛍光体あるいは光電変換素子の応答特性に起因するアーチファクト＝残像現象が発生し、画質を低下させる場合があった。【０００５】
この残像現象の発生に係る解決方法として、例えば特許第４１５００７９号公報に記載の方法が知られている。すなわち、特許第４１５００７９号公報に係るＸ線検出器は、電磁気放射で半導体素子を照射するバイアス放射源を設けるようにしている。これにより、複雑な補正演算を行うことなく、簡単に残像現象の発生を抑制することができる。すなわち、シンチレータにて発生した蛍光を電気信号に変換する光電変換部にリセット光を照射（光リセット）することが、残像除去に有効であることがわかる。
【発明の概要】
【０００６】
しかしながら、一旦、光電変換部に対して光リセットを行うと、ある一定時間（少なくともリセット光の照射時間及びリセット光の照射に伴う影響が収束するまでの時間）は、動画のための放射線撮影（透視撮影）を行うことができない、あるいは、行ったとしても撮影画像が乱れるという懸念がある。
【０００７】
そのため、被写体に対する例えばカテーテルの進入状況等をリアルタイムで把握できるようにした放射線画像撮影システムにおいて、注意深くカテーテルを進入させなければならないときに、放射線撮影ができない、あるいは撮影画像が乱れてしまい、医療行為に支障をきたすおそれがある。
【０００８】
本発明はこのような課題を考慮してなされたものであり、残像除去に有効な光リセットを選択的に無効にすることができ、光リセットに起因する上述した影響を未然に回避することができる放射線画像撮影システム及び放射線検出装置を提供することを目的とする。
【０００９】
また、本発明の他の目的は、上述した目的に加え、例えば医療行為に支障をきたさない状況において、強制的に光リセットを行えるようにして、注意深く放射線画像を観察する必要があるときに、残像による画像乱れを未然に防ぐことができる放射線画像撮影システム及び放射線検出装置を提供することにある。
【００１０】
［１］  第１の本発明に係る放射線画像撮影システムは、放射線源を有する放射線照射装置と、被写体を透過した前記放射線源からの放射線を放射線画像に変換して出力する放射線検出装置と、を有する放射線画像撮影装置と、前記放射線画像撮影装置を、設定されたフレームレートで放射線撮影を実行するように制御するシステム制御部と、を有し、前記放射線検出装置は、放射線を蛍光に変換するシンチレータと、前記蛍光を電気信号に変換する光電変換部と、前記光電変換部にリセット光を照射するリセット光源部とを有し、前記システム制御部は、リセット無効指示に基づいて、前記リセット光源部からの前記リセット光の照射を無効にする光リセット無効部とを有することを特徴とする。
【００１１】
［２］  第１の本発明において、さらに、操作入力に基づいて、前記リセット無効指示を出力するリセット無効スイッチを有し、前記光リセット無効部は、前記リセット無効スイッチからの前記リセット無効指示の入力に基づいて、前記リセット光源部からの前記リセット光の照射を無効にするようにしてもよい。
【００１２】
［３］  第１の本発明において、前記光リセット無効部は、前記リセット無効指示が入力されている期間だけ、前記リセット光源部からの前記リセット光の照射を無効にするようにしてもよい。
【００１３】
［４］  第１の本発明において、前記システム制御部は、さらに、前記放射線検出装置からの前記放射線画像の解析結果に基づいて、前記リセット無効指示を出力するリセット無効指示部を有し、前記光リセット無効部は、前記リセット無効指示の入力に基づいて、前記リセット光源部からの前記リセット光の照射を無効にするようにしてもよい。
【００１４】
［５］  この場合、前記リセット無効指示部は、前記放射線検出装置からの放射線画像のうち、指定された前記被写体の特定画像と、前記被写体に挿入された器具の画像との位置関係に基づいて、前記リセット無効指示を出力するようにしてもよい。
【００１５】
［６］  また、前記リセット無効指示部は、指定された前記被写体の特定画像と、前記被写体に挿入された器具の画像が、予め設定された位置関係にある期間にかけて、前記リセット無効指示を出力し、前記光リセット無効部は、前記リセット無効指示が入力されている期間だけ、前記リセット光源部からの前記リセット光の照射を無効にするようにしてもよい。
【００１６】
［７］  この場合、前記予め設定された位置関係は、前記特定画像に前記器具の画像の一部が入り込んでいる関係であってもよい。
【００１７】
［８］  第１の本発明において、強制リセット指示に基づいて、強制的に前記リセット光源部から前記リセット光を照射させる強制光リセット部を有するようにしてもよい。
【００１８】
［９］  この場合、さらに、操作入力に基づいて、前記強制リセット指示を出力する強制リセットスイッチを有し、前記強制光リセット部は、前記強制リセットスイッチからの前記強制リセット指示の入力に基づいて、強制的に前記リセット光源部から前記リセット光を照射させるようにしてもよい。
【００１９】
［１０］  また、前記システム制御部は、さらに、前記強制リセットスイッチを操作する目安となるガイダンスを出力するガイダンス出力部を有するようにしてもよい。
【００２０】
［１１］  この場合、前記ガイダンスは、前記放射線画像の残像状況であってもよい。
【００２１】
［１２］  前記ガイダンス出力部は、さらに、最後の前記リセット光の照射から前記放射線検出装置に蓄積される累積被曝線量を演算する累積被曝線量演算部を有し、前記累積被曝線量を、前記放射線画像の残像状況として出力するようにしてもよい。
【００２２】
［１３］  また、前記ガイダンスは、最後の前記リセット光の照射からの経過時間であってもよい。
【００２３】
［１４］  前記強制光リセット部は、外部からの前記強制リセット指示が入力された段階で、強制的に前記リセット光源部から前記リセット光を照射させるようにしてもよい。
【００２４】
［１５］  前記システム制御部は、さらに、前記放射線検出装置からの前記放射線画像の解析結果に基づいて、前記強制リセット指示を出力する強制リセット指示部を有するようにしてもよい。
【００２５】
［１６］  この場合、前記強制リセット指示部は、前記放射線検出装置からの放射線画像のうち、指定された前記被写体の特定画像と、前記被写体に挿入された器具の画像との位置関係に基づいて、前記強制リセット指示を出力するようにしてもよい。
【００２６】
［１７］  前記強制リセット指示部は、さらに、複数の前記放射線画像に基づいて、前記器具の画像の移動方向と移動速度を求める移動ベクトル演算部を有し、前記器具の画像の移動方向が前記特定画像に向かう方向であって、且つ、前記器具の画像が前記特定画像に到達する前に、前記強制リセット指示を出力するようにしてもよい。
【００２７】
［１８］  この場合、前記強制リセット指示部は、前記器具の画像の移動方向が前記特定画像に向かう方向であって、且つ、前記器具の画像が前記特定画像に到達するまでの時間が予め設定された時間となった段階で、前記強制リセット指示を出力するようにしてもよい。
【００２８】
［１９］  第２の本発明に係る放射線検出装置は、放射線を蛍光に変換するシンチレータと、前記蛍光を電気信号に変換する光電変換部と、前記光電変換部にリセット光を照射するリセット光源部と、リセット無効指示に基づいて、前記リセット光源部からの前記リセット光の照射を無効にする光リセット無効部とを有することを特徴とする。
【００２９】
［２０］  第２の本発明において、さらに、操作入力に基づいて、前記リセット無効指示を出力するリセット無効スイッチを有し、前記光リセット無効部は、前記リセット無効スイッチからの前記リセット無効指示の入力に基づいて、前記リセット光源部からの前記リセット光の照射を無効にするようにしてもよい。
【００３０】
［２１］  この場合、前記光リセット無効部は、前記リセット無効指示が入力されている期間だけ、前記リセット光源部からの前記リセット光の照射を無効にするようにしてもよい。
【００３１】
［２２］  第２の本発明において、前記光リセット無効部は、外部からの前記リセット無効指示が入力されている期間だけ、前記リセット光源部からの前記リセット光の照射を無効にするようにしてもよい。
【００３２】
［２３］  第２の本発明において、強制リセット指示に基づいて、強制的に前記リセット光源部から前記リセット光を照射させる強制光リセット部を有するようにしてもよい。
【００３３】
［２４］  この場合、さらに、操作入力に基づいて、前記強制リセット指示を出力する強制リセットスイッチを有し、前記強制光リセット部は、前記強制リセットスイッチからの前記強制リセット指示の入力に基づいて、強制的に前記リセット光源部から前記リセット光を照射させるようにしてもよい。
【００３４】
［２５］  さらに、前記強制リセットスイッチを操作する目安となるガイダンスを出力するガイダンス出力部を有するようにしてもよい。
【００３５】
［２６］  前記ガイダンスは、前記放射線画像の残像状況であってもよい。
【００３６】
［２７］  この場合、前記ガイダンス出力部は、さらに、最後の前記リセット光の照射から前記放射線検出装置に蓄積される累積被曝線量を演算する累積被曝線量演算部を有し、前記累積被曝線量を、前記放射線画像の残像状況として出力するようにしてもよい。
【００３７】
［２８］  前記ガイダンスは、最後の前記リセット光の照射からの経過時間であってもよい。
【００３８】
［２９］  また、前記強制光リセット部は、外部からの前記強制リセット指示が入力された段階で、強制的に前記リセット光源部から前記リセット光を照射させるようにしてもよい。
【００３９】
本発明に係る放射線画像撮影システム及び放射線検出装置によれば、残像除去に有効な光リセットを選択的に無効にすることができ、光リセットに起因する上述した影響を未然に回避することができる。また、例えば医療行為に支障をきたさない状況において、強制的に光リセットを行えるようにして、注意深く放射線画像を観察する必要があるときに、残像による画像乱れを未然に防ぐことができる。
【図面の簡単な説明】
【００４０】
【図１】本実施の形態に係る放射線画像撮影システムを示す構成図である。
【図２】主に放射線照射装置及び放射線検出装置の構成を示すブロック図である。
【図３】放射線検出装置の外観を示す斜視図である。
【図４】放射線検出装置の構成を示す分解斜視図である。
【図５】図４のＶ−Ｖ線に沿った断面図である。
【図６】主に光電変換部と読出回路を示す回路図である。
【図７】主に第１システム制御部の構成を示すブロック図である。
【図８】第１システム制御部の動画撮影処理部の処理動作を示すフローチャートである。
【図９】第１システム制御部の光リセット処理部の処理動作を示すフローチャートである。
【図１０】第１システム制御部での処理動作、特に、強制光リセット部の動作を含めたタイムチャートである。
【図１１】第１システム制御部での処理動作、特に、光リセット無効部の動作を含めたタイムチャートである。
【図１２】図１２Ａ及び図１２Ｂは血管内にカテーテルを挿入している状態を示す説明図である。
【図１３】主に第２システム制御部の構成を示すブロック図である。
【図１４】図１４Ａは第１方式のガイダンス出力部の構成を示すブロック図であり、図１４Ｂは第２方式のガイダンス出力部の構成を示すブロック図である。
【図１５】主に第３システム制御部の構成を示すブロック図である。
【図１６】第３システム制御部の光リセット処理部の処理動作を示すフローチャートである。
【図１７】主に第４システム制御部の構成を示すブロック図である。
【図１８】本実施の形態に係る放射線検出装置の構成を示すブロック図である。
【発明を実施するための形態】
【００４１】
以下、本発明に係る放射線検出装置及び放射線画像撮影システムの実施の形態例を図１〜図１８を参照しながら説明する。
【００４２】
本実施の形態に係る放射線画像撮影システム１０は、図１に示すように、放射線画像撮影装置１２と、放射線画像撮影装置１２を、設定されたフレームレート（例えば１５フレーム／秒〜６０フレーム／秒等）で放射線撮影を実行するように制御するシステム制御部１４とを有する。システム制御部１４には、コンソール１６が接続され、コンソール１６とのデータ通信が可能となっている。コンソール１６には、画像観察や画像診断用のモニタ１８や、操作入力用の入力装置２０（キーボードやマウス等）が接続されている。オペレータ（医師、放射線技師）は、動画を観察しながらの手術やカテーテルの挿入作業等において、現在の状況に適した放射線の照射エネルギー（管電圧、管電流、照射時間等）や放射線撮影のフレームレートを入力装置２０を使って設定する。入力装置２０を使用して入力されたデータやコンソール１６にて作成編集等されたデータはシステム制御部１４に入力される。また、システム制御部１４からの放射線画像等はコンソール１６に供給されて、モニタ１８に映し出される。
【００４３】
放射線画像撮影装置１２は、撮影台２２上の被写体２４に向けて放射線２６を設定された照射エネルギーで照射する放射線照射装置２８と、被写体２４を透過した放射線２６を放射線画像に変換してシステム制御部１４に出力する放射線検出装置３０とを有する。
【００４４】
放射線照射装置２８は、図２に示すように、放射線源３４と、システム制御部１４からの指示に基づいて放射線源３４を制御する線源制御部３６と、システム制御部１４からの指示に基づいて放射線２６の照射領域を広げたり狭くする自動コリメータ部３８とを有する。
【００４５】
一方、放射線検出装置３０は、図３〜図５に示すように、放射線２６を透過可能な材料からなるケーシング（筐体）４０を備える。ケーシング４０は、第１ケース４２と第２ケース４４を備えており、第１ケース４２は、平面視で略長方形状に形成されて放射線２６が照射される第１平板部４６と、前記第１平板部４６の周縁に設けられた第１側壁部４８とを有し、第２ケース４４は、前記第１平板部４６に対応した形状の第２平板部５０と、前記第２平板部５０の周縁に立設された第２側壁部５２とを有する。
【００４６】
第１ケース４２は、第２ケース４４に対して着脱自在に構成されており、第１ケース４２を第２ケース４４に装着した状態でケーシング４０の内部には閉空間５４（図５参照）が形成される。
【００４７】
ケーシング４０を構成する第１ケース４２及び第２ケース４４のそれぞれは、放射線検出装置３０全体の軽量化を図るために、炭素繊維強化プラスチック（ＣＦＲＰ）等の複合材料、エンジニアプラスチック、バイオマス材料、アルミニウム、アルミニウム合金、マグネシウム、マグネシウム合金又は樹脂で構成されている。この場合、第１ケース４２及び第２ケース４４は、同じ材料で構成してもよいし、あるいは、異なる材料で構成してもよい。なお、図５では、第１ケース４２及び第２ケース４４のそれぞれをＣＦＲＰで一体的に構成した例を示している。
【００４８】
ケーシング４０の内部には、放射線検出装置３０の電源としてのバッテリ５６と、放射線画像等を含む信号をシステム制御部１４との間で送受信する送受信機５８と、後述する中間部材６０を介して第１平板部４６に支持される平面視で長方形状の放射線検出パネル６２と、第２側壁部５２の内面に形成された装着溝６４に配設される遮蔽板６６と、前記遮蔽板６６及び前記第２平板部５０間に設けられて前記放射線検出パネル６２を駆動制御するカセッテ制御部６８と、が配設されている。
【００４９】
バッテリ５６は、送受信機５８、放射線検出パネル６２及びカセッテ制御部６８に電力を供給する。なお、バッテリ５６及び第１平板部４６間と、送受信機５８及び第１平板部４６間には、図示しない鉛板（遮蔽板）等を配設しておくことが望ましい。バッテリ５６及び送受信機５８に放射線２６が照射されて、該バッテリ５６及び該送受信機５８が劣化することを防止することができるからである。
【００５０】
放射線検出パネル６２としては、被写体２４を透過した放射線２６をシンチレータ７０により可視光（蛍光）に一旦変換し、変換した前記可視光を光電変換部７２によりアナログの電気信号に変換する間接変換型の放射線検出パネル６２（表面読取方式及び裏面読取方式を含む）を使用することができる。
【００５１】
表面読取方式であるＩＳＳ（Ｉｒａｄｉａｔｉｏｎ  Ｓｉｄｅ  Ｓａｍｐｌｉｎｇ）方式の放射線検出パネル６２は、放射線２６の照射方向に沿って、光電変換部７２及びシンチレータ７０が順に配置された構成を有する。裏面読取方式であるＰＳＳ（Ｐｅｎｅｔｒａｔｉｏｎ  Ｓｉｄｅ  Ｓａｍｐｌｉｎｇ）方式の放射線検出器は、放射線２６の照射方向に沿って、シンチレータ７０及び光電変換部７２が順に配置された構成を有する。
【００５２】
なお、本実施の形態に係る放射線検出パネル６２は、ＩＳＳ方式の放射線変換パネルとして構成されている。通常、シンチレータ７０は、放射線２６の照射面側が背面側よりも強く発光するため、ＩＳＳ方式の放射線検出パネル６２では、ＰＳＳ方式の放射線検出器と比較して、シンチレータ７０で発光された光が光電変換部７２に到達するまでの距離を短縮させることができる。これにより、該光の拡散・減衰を抑えることができるので、放射線画像の分解能を高めることができる。
【００５３】
また、放射線検出パネル６２としては、上述した間接変換型の放射線変換パネルのほか、放射線２６の線量をアモルファスセレン（ａ−Ｓｅ）等の物質からなる固体検出素子により電気信号に直接変換する直接変換型の放射線変換パネルを採用することもできる。
【００５４】
シンチレータ７０は、ベース板上に、例えば、ヨウ化セシウム（ＣｓＩ：Ｔｌ）を真空蒸着法で柱状結晶構造に蒸着することにより形成されている。これにより、放射線２６を効率的に検出することができるので、放射線画像の分解能を一層高めることができる。
【００５５】
なお、シンチレータ７０は、ベース板上に、例えば、ＧＯＳ（Ｇｄ2Ｏ2Ｓ：Ｔｂ）を蒸着することにより形成してもよい。この場合でも、放射線２６を可視光に変換可能である。ベース板は、例えば、ＣＦＲＰ、アルミニウム、アルミニウム合金、マグネシウム、マグネシウム合金又は樹脂等で構成されている。
【００５６】
光電変換部７２は、シンチレータ７０の一方（第１平板部４６が位置する側の面）の面に積層されている。この光電変換部７２は、酸化物半導体（ＩＧＺＯ）を含んで構成された薄膜トランジスタ（ＴＦＴ：Ｔｈｉｎ  Ｆｉｌｍ  Ｔｒａｎｓｉｓｔｏｒ）が行列状に配置されたフレキシブル基板７４と、ＴＦＴのアレイ上に設けられたアモルファスシリコン（ａ−Ｓｉ）からなる固体検出素子７６（画素）とを有している。
【００５７】
このような場合、酸化物半導体（ＩＧＺＯ）は４６０ｎｍ未満の波長の光にのみ感度を持つため、シンチレータ７０が発した光によってスイッチングノイズが発生することを好適に抑えることができる。
【００５８】
光電変換部７２及びカセッテ制御部６８間は、フレキシブル配線ケーブル７８、８０によって電気的に接続されている。フレキシブル配線ケーブル７８には、カセッテ制御部６８の信号に基づいてＴＦＴを駆動するゲートＩＣ８２が設けられ、フレキシブル配線ケーブル８０には、固体検出素子７６から出力されるアナログの電気信号を増幅すると共にデジタルの電気信号に変換するＡＳＩＣ８４（Ａｐｌｌｉｃａｔｉｏｎ  Ｓｐｅｃｉｆｉｃ  Ｉｎｔｅｇｒａｔｅｄ  Ｃｉｒｃｕｉｔ）が設けられている。なお、フレキシブル配線ケーブル７８は、光電変換部７２の長手方向の側部に着脱自在に接続されており、フレキシブル配線ケーブル８０は、光電変換部７２の短手方向の側部に着脱自在に接続されている。
【００５９】
遮蔽板６６は、放射線検出パネル６２のバック散乱線を吸収する材料、例えば、鉛で形成されている。これにより、放射線検出パネル６２のバック散乱線がカセッテ制御部６８に照射されて、該カセッテ制御部６８が劣化することを防止することができる。カセッテ制御部６８は、複数のブラケット８６、８６を介して遮蔽板６６に支持されている（図５参照）。
【００６０】
第１平板部４６及び放射線検出パネル６２間には、板状の中間部材６０が設けられている。中間部材６０は、接着部材８８にて照射部位内面９０に接着される中間部材本体９２と、リセット光源部９４とを有する。
【００６１】
リセット光源部９４は、リセット光を発光する平面視で矩形状の発光層９６と、発光層９６と中間部材本体９２の間に介設された金属電極９８と、発光層９６と放射線検出パネル６２の間に介設されてリセット光を透過可能な透明電極１００と、金属電極９８及び透明電極１００に電気的に接続する電源１０２とスイッチ１０４とを有する。電源１０２は、バッテリ５６で兼用してもよいし、バッテリ５６とは別に設置された図示しない専用の電源を使用してもよい。
【００６２】
発光層９６としては、例えば、有機エレクトロルミネッセンス（有機ＥＬ）又は無機エレクトロルミネッセンス（無機ＥＬ）が用いられる。金属電極９８は、放射線２６の透過率及びリセット光の反射率が高い材料で構成することが好ましく、例えば、アルミニウム等で構成することができる。透明電極１００は、例えば、ＩＴＯ等で構成することができる。
【００６３】
本実施の形態において、カセッテ制御部６８は、例えば放射線撮影前にリセット光源部９４を構成する電源１０２及びスイッチ１０４を制御して、発光層９６からリセット光を発光させる。
【００６４】
次に、一例として、間接変換型の放射線検出パネル６２を採用した場合の光電変換部７２の読出回路１０６の構成に関し、図６を参照しながら詳細に説明する。
【００６５】
光電変換部７２は、例えば可視光を電気信号に変換するａ−Ｓｉ等の物質からなる各画素７６が形成された光電変換層１０８を、行列状の薄膜トランジスタ（以下、ＴＦＴ１１０と記す）のアレイの上に配置した構造を有する。この場合、各画素７６では、可視光を電気信号（アナログ信号）に変換することにより発生した電荷が蓄積されることから、例えば各行毎にＴＦＴ１１０を順次オンにすることにより前記電荷を画像信号として読み出すことができる。
【００６６】
読出回路１０６は、各画素７６に接続されるＴＦＴ１１０と、ＴＦＴ１１０に接続され、行方向と平行に延びるゲート線１１２と、ＴＦＴ１１０に接続され、列方向と平行に延びる信号線１１４とを有する。各ゲート線１１２は、ライン走査駆動部１１６に接続され、各信号線１１４は、マルチプレクサ１１８に接続される。ゲート線１１２には、行方向に配列されたＴＦＴ１１０をオンオフ制御する制御信号Ｖｏｎ、Ｖｏｆｆがライン走査駆動部１１６から供給される。この場合、ライン走査駆動部１１６は、ゲート線１１２を切り替える複数のスイッチＳＷ１と、スイッチＳＷ１を選択する選択信号を出力する第１アドレスデコーダ１２０とを備える。第１アドレスデコーダ１２０には、カセッテ制御部６８からアドレス信号が供給される。
【００６７】
また、信号線１１４には、列方向に配列されたＴＦＴ１１０を介して各画素７６に保持されている電荷が流出する。この電荷は、チャージアンプ１２２によって増幅される。チャージアンプ１２２には、サンプルホールド回路１２４を介してマルチプレクサ１１８が接続される。
【００６８】
すなわち、読み出された各列の電荷は、各信号線１１４を介して各列のチャージアンプ１２２に入力される。各チャージアンプ１２２は、オペアンプ１２６と、コンデンサ１２８と、スイッチ１３０とで構成されている。チャージアンプ１２２は、スイッチ１３０がオフの場合には、オペアンプ１２６の一方の入力端子に入力された電荷信号を電圧信号に変換して出力する。チャージアンプ１２２は、カセッテ制御部６８によって設定されたゲインで電気信号を増幅して出力する。チャージアンプ１２２のゲインに関する情報（ゲイン設定情報）は、システム制御部１４からカセッテ制御部６８に供給される。カセッテ制御部６８は、供給されたゲイン設定情報に基づいてチャージアンプ１２２のゲインを設定する。
【００６９】
オペアンプ１２６の他方の入力端子はＧＮＤ（グランド電位）に接続されている（接地）。全ＴＦＴ１１０がオンとなって、且つ、スイッチ１３０がオンした場合は、コンデンサ１２８に蓄積された電荷がコンデンサ１２８とスイッチ１３０の閉回路により放電されると共に、画素７６に蓄積されていた電荷が閉じられたスイッチ１３０及びオペアンプ１２６を介してＧＮＤ（グランド電位）に掃き出される。チャージアンプ１２２のスイッチ１３０をオンにして、コンデンサ１２８に蓄積された電荷を放電させると共に、画素７６に蓄積された電荷をＧＮＤ（グランド電位）に掃き出す動作のことを、リセット動作（空読み動作）と呼ぶ。特に、全画素の電荷をＧＮＤに掃き捨てる動作を全画素リセット動作をという。つまり、リセット動作の場合は、画素７６に蓄積された電荷信号に対応する電圧信号は、マルチプレクサ１１８に出力されずに捨てられる。
【００７０】
マルチプレクサ１１８は、信号線１１４を切り替える複数のスイッチＳＷ２と、スイッチＳＷ２を選択する選択信号を出力する第２アドレスデコーダ１３２とを備える。第２アドレスデコーダ１３２には、カセッテ制御部６８からアドレス信号が供給される。マルチプレクサ１１８には、Ａ／Ｄ変換器１３４が接続され、Ａ／Ｄ変換器１３４によってデジタル信号に変換された放射線画像がカセッテ制御部６８に供給される。
【００７１】
なお、スイッチング素子として機能するＴＦＴ１１０は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００７２】
放射線検出装置３０のカセッテ制御部６８は、図２に示すように、読出回路１０６（図６参照）のためのアドレス信号発生部１３６と、画像メモリ１３８と、カセッテＩＤメモリ１４０とを備える。
【００７３】
アドレス信号発生部１３６は、例えばシステム制御部１４からの放射線画像の読出制御情報に基づいて、図６に示す読出回路１０６におけるライン走査駆動部１１６の第１アドレスデコーダ１２０及びマルチプレクサ１１８の第２アドレスデコーダ１３２に対してアドレス信号を供給する。読出制御情報は、例えばプログレッシブモード、インターレースモード（奇数行読出モード、偶数行読出モード、２行置き読出モード、３行置き読出モード等）、ビニングモード（１画素／４画素読出モード、１画素／６画素読出モード、１画素／９画素読出モード等）を示す読出モードに関する情報が含まれる。例えば１画素／４画素読出モードは、隣接する２本のゲート線１１２を同時に活性化（Ｖｏｎとする）し、隣接する２本の信号線１１４を同時に選択することで、隣接する２行２列の４画素分の電荷を混合して１画素として読み出すモードである。アドレス信号発生部１３６は、読出制御情報が示すモードに応じたアドレス信号を作成して、ライン走査駆動部１１６の第１アドレスデコーダ１２０及びマルチプレクサ１１８の第２アドレスデコーダ１３２に出力する。読出制御情報は、例えばオペレータからの操作入力に基づいてシステム制御部１４にて作成されて、放射線検出装置３０のカセッテ制御部６８に入力される。
【００７４】
システム制御部１４から供給される読出制御情報としては、上述した読出モードに関する情報（読出モード情報）に加えて、撮像範囲を指定する撮像範囲情報も含まれる。この撮像範囲情報は、例えばオペレータが入力装置２０とモニタ１８を使って例えば動画の撮像範囲を設定した場合に、設定された撮像範囲に含まれるゲート線１１２のアドレスと信号線１１４のアドレスが挙げられる。もちろん、撮像範囲に含まれるゲート線１１２の開始アドレス（番号）と終了アドレス（番号）並びに信号線１１４の開始アドレス（番号）と終了アドレス（番号）であってもよい。そして、読出モード情報が例えば奇数行読出モード（間引き）であれば、放射線検出パネル６２の撮像範囲に含まれるゲート線１１２のうち、奇数行のゲート線１１２が順次選択され、放射線検出パネル６２の撮像範囲に含まれる信号線１１４からの信号電荷が合成されずにＡ／Ｄ変換器１３４に向かって順次転送されることになる。読出モード情報が例えば１画素／４画素読出モード（ビニング）であれば、撮像範囲に含まれるゲート線１１２が例えば２本ずつ順次選択され、撮像範囲に含まれる信号線１１４からの信号電荷が合成（この場合、隣接する２本の信号線１１４からの信号電荷がそれぞれ合成）されて、すなわち、４画素分の信号電荷が合成されてＡ／Ｄ変換器１３４に向かって順次転送されることになる。
【００７５】
画像メモリ１３８は、読出回路１０６からの放射線画像を記憶する。カセッテＩＤメモリ１４０は、放射線検出装置３０を特定するためのカセッテＩＤ情報を記憶する。
【００７６】
送受信機５８は、カセッテＩＤメモリ１４０に記憶されたカセッテＩＤ情報並びに画像メモリ１３８に記憶された放射線画像を有線通信又は無線通信によりシステム制御部１４に送信する。
【００７７】
また、放射線検出装置３０は、リセット光源部９４のスイッチのオン／オフを制御するスイッチング制御部１４２を有する。また、カセッテ制御部６８は、パルス信号生成部１４４を有する。このパルス信号生成部１４４は、システム制御部１４からのオン信号（光リセットを行うための指示信号）の入力に基づいて一定のパルス幅を有するパルス信号を生成してスイッチング制御部１４２に出力する。スイッチング制御部１４２は、パルス信号の入力に基づいて、該パルス信号のパルス幅だけスイッチ１０４をオンにする。これによって、発光層９６からパルス幅に相当する時間だけリセット光が発光し、光電変換部７２にリセット光が照射され、光リセットが行われる。
【００７８】
次に、この放射線画像撮影システム１０のシステム制御部１４の具体例について図７〜図１７を参照しながら説明する。
【００７９】
先ず、第１の具体例に係るシステム制御部（以下、第１システム制御部１４Ａと記す）は、図７に示すように、動画撮影処理部１４６と、光リセット処理部１４８とを有する。
【００８０】
先ず、動画撮影処理部１４６は、パラメータ設定部１５０と、パラメータ履歴記憶部１５２と、動画転送部１５４とを有する。
【００８１】
パラメータ設定部１５０は、オペレータからの操作入力等によって新たにパラメータ（放射線の照射エネルギー、フレームレート等）の設定があった場合に、パラメータ履歴記憶部１５２に新たに設定された照射エネルギー、フレームレートを最新のパラメータとして記憶する。特に、照射エネルギーが新たに設定された場合は、新たに設定された照射エネルギーの情報（管電圧、管電流、照射時間等の情報）を含む照射エネルギー設定情報Ｓａを放射線照射装置２８に出力し、チャージアンプ１２２のゲインや読出モードが新たに設定された場合は、新たに設定されたゲインや読出モードの情報を含む読出制御情報Ｓｂを放射線検出装置３０に出力する。
【００８２】
パラメータ履歴記憶部１５２は、いままで設定された照射エネルギーとフレームレート等とのうち、現時点から過去の所定期間にわたって設定された照射エネルギーとフレームレート等が記憶される。
【００８３】
動画転送部１５４は、放射線検出装置３０から順次供給される放射線画像Ｄａを受け取って、コンソール１６に転送する。コンソール１６は、順次転送されてくる放射線画像Ｄａをモニタ１８に表示する。これにより、モニタ１８には、放射線画像Ｄａの動画が表示されることになる。
【００８４】
また、コンソール１６には、リセット無効スイッチ１５６と強制リセットスイッチ１５８が接続されている。リセット無効スイッチ１５６は、オペレータがオン操作した期間だけ例えば高レベルとされたリセット無効指示信号Ｓｎを出力する。このリセット無効指示信号Ｓｎは、コンソール１６を介して第１システム制御部１４Ａに供給される。強制リセットスイッチ１５８は、オペレータがオン操作した段階で、一定のパルス幅を有する強制リセット指示信号Ｓｒを出力する。この強制リセット指示信号Ｓｒも、コンソール１６を介して第１システム制御部１４Ａに供給される。
【００８５】
一方、光リセット処理部１４８は、オン信号出力部１６０と、光リセット無効部１６２と、強制光リセット部１６４とを有する。
【００８６】
オン信号出力部１６０は、パラメータ履歴記憶部１５２に記憶された最新のフレームレートに基づいて、例えば５〜１００フレームのうち、選択されたいずれかの１つのフレーム間隔でオン信号Ｓｏｎを出力する。例えば５０フレームを選択した場合は、５０ｎフレーム（ｎ：１、２、３・・・）と５０ｎ＋１フレームの間でオン信号Ｓｏｎを出力する。このオン信号Ｓｏｎが放射線検出装置３０に供給されると、上述したように、光リセットが行われることになる。
【００８７】
強制光リセット部１６４は、強制リセットスイッチ１５８からの強制リセット指示信号Ｓｒが供給されるようになっており、強制リセット指示信号Ｓｒが供給された段階で、オン信号出力部１６０からのオン信号Ｓｏｎと同様の属性（パルス幅、振幅）を有するオン信号Ｓｏｎを出力する。
【００８８】
光リセット無効部１６２は、オン信号出力部１６０からのオン信号Ｓｏｎと、強制光リセット部１６４からのオン信号Ｓｏｎと、リセット無効スイッチ１５６からのリセット無効指示信号Ｓｎが供給されるようになっている。そして、光リセット無効部１６２は、リセット無効指示信号Ｓｎが供給されていない期間では、オン信号出力部１６０及び強制光リセット部１６４からのオン信号Ｓｏｎをそのまま出力し、リセット無効指示信号Ｓｎが供給されている期間ではオン信号Ｓｏｎを出力しない。すなわち、通常であれば、光リセットが行われるところ、リセット無効指示信号Ｓｎが供給されている期間では光リセットを実行させないようにする、つまり、光リセットを無効にする。
【００８９】
ここで、第１システム制御部１４Ａを有する放射線画像撮影システム１０の処理動作について図８〜図１２を参照しながら説明する。上述した動画撮影処理部１４６と光リセット処理部１４８はマルチタスク方式にて動作する。
【００９０】
最初に、動画撮影処理部１４６の処理動作を図８を参照しながら説明する。先ず、図８のステップＳ１において、第１システム制御部１４Ａは、撮影回数のカウンタｋに初期値（＝１）を格納する。
【００９１】
ステップＳ２において、パラメータ設定部１５０は、新たにパラメータ（放射線２６の照射エネルギー、フレームレート、撮影範囲、読出モード等）の設定があるか否かを判別する。例えばオペレータが新たにパラメータの設定を行った場合は、ステップＳ３に進み、パラメータ履歴記憶部１５２に新たに設定された照射エネルギー、フレームレート等を最新のパラメータとして記憶する。
【００９２】
照射エネルギーが新たに設定された場合は、次のステップＳ４において、新たに設定された照射エネルギーの情報（管電圧、管電流、照射時間等の情報）を含む照射エネルギー設定情報Ｓａを放射線照射装置２８に出力する。放射線照射装置２８の線源制御部３６は、第１システム制御部１４Ａからの照射エネルギー設定情報Ｓａに基づいて、放射線源３４から出力される放射線２６の照射エネルギーを新たな照射エネルギーに設定する。
【００９３】
撮影範囲や読出モード等が新たに設定された場合は、次のステップＳ５において、新たに設定された撮影範囲情報や読出モード情報を含む読出制御情報Ｓｂを放射線検出装置３０に出力する。放射線検出装置３０のカセッテ制御部６８は、入力された読出制御情報Ｓｂをアドレス信号発生部１３６に供給する。
【００９４】
ステップＳ６において、第１システム制御部１４Ａは、前回の放射線撮影の開始時点から最新のフレームレートＦｒに相当する時間が経過したか否かを判別する。カウンタｋの値が初期値である場合あるいは前回の放射線撮影の開始時点から最新のフレームレートＦｒに相当する時間が経過した段階で次のステップＳ７に進み、第１システム制御部１４Ａは、ｋ回目の放射線撮影の開始時点にて、放射線照射装置２８に曝射開始信号Ｓｃ（図１０参照）を出力する。放射線照射装置２８の線源制御部３６は、第１システム制御部１４Ａからの曝射開始信号Ｓｃの入力に基づいて放射線源３４を制御して、該放射線源３４から設定されている照射エネルギーの放射線を照射させる。
【００９５】
ステップＳ８において、第１システム制御部１４Ａは、放射線検出装置３０に電荷蓄積及び電荷読出を示す動作開始信号Ｓｄ（図１０参照）を出力する。
【００９６】
ステップＳ９において、放射線検出装置３０は、第１システム制御部１４Ａからの動作開始信号Ｓｄの入力に基づいて、電荷蓄積と電荷読出を行う。すなわち、被写体２４を透過した放射線２６が、例えば光電変換部７２のシンチレータ７０により可視光に一旦変換され、光電変換部７２の各画素７６において、可視光が光電変換されて、光量に応じた量の電荷が蓄積される。
【００９７】
続く読出期間において、アドレス信号発生部１３６は、供給された読出制御情報Ｓｂ（撮像範囲情報、読出モード情報等）に応じたアドレス信号を作成して、読出回路１０６におけるライン走査駆動部１１６の第１アドレスデコーダ１２０及びマルチプレクサ１１８の第２アドレスデコーダ１３２に出力する。読出回路１０６は、読出制御情報Ｓｂに従って電荷の読み出しを行い、画像メモリ１３８を用いて、例えばＦＩＦＯ方式で動画用の放射線画像Ｄａを出力する。放射線検出装置３０からの放射線画像Ｄａは第１システム制御部１４Ａに供給される。
【００９８】
ステップＳ１０において、第１システム制御部１４Ａは、供給された動画用の放射線画像Ｄａをコンソール１６に転送する。コンソール１６は、転送された放射線画像Ｄａをフレームメモリに記憶すると共に、ｋ回目の放射線撮影による放射線画像、すなわち、ｋフレーム目の放射線画像としてモニタ１８に表示する。
【００９９】
ステップＳ１１において、カウンタｋの値を＋１更新する。
【０１００】
ステップＳ１２において、第１システム制御部１４Ａは、動画撮影の終了要求があるか否かを判別する。動画撮影の終了要求がなければ、ステップＳ２に戻り、ステップＳ２以降の処理を繰り返す。これにより、モニタ１８には設定されたフレームレートでの放射線画像の動画が表示されることになる。一方、ステップＳ１２において、動画撮影の終了要求があると判別された段階で、動画撮影が終了する。
【０１０１】
次に、光リセット処理部１４８の動作について図９を参照しながら説明する。先ず、図９のステップＳ１０１において、光リセット無効部１６２は、光リセットの実行指示か否かを判別する。この判別は、オン信号出力部１６０又は強制光リセット部１６４からオン信号Ｓｏｎが供給されているかどうかで行われる。オン信号Ｓｏｎが供給されていれば（光リセットの実効指示）、次のステップＳ１０２に進み、光リセット無効部１６２は、リセット無効指示中であるか否かを判別する。この判別は、リセット無効指示信号Ｓｎが供給中であるかどうかで行われる。リセット無効指示信号Ｓｎが供給中であれば（リセット無効指示中）、次のステップＳ１０３に進み、オン信号Ｓｏｎの出力を停止して、光リセットの実効指示を無効にする。その後、ステップＳ１０１に戻り、ステップＳ１０１以降の処理を繰り返す。
【０１０２】
そして、ステップＳ１０１において光リセットの実行指示と判別され、ステップＳ１０２においてリセット無効指示中でないと判別されれば、ステップＳ１０４に進み、光リセット無効部１６２は、光リセットを行うためのオン信号Ｓｏｎを放射線検出装置３０に出力する。これにより、ステップＳ１０５において、光電変換部７２にリセット光が照射され、光リセットが行われる。
【０１０３】
前記ステップＳ１０１において、光リセットの実行指示でないと判別された場合、あるいは、ステップＳ１０５において、光リセットが実行された段階で、次のステップＳ１０６に進み、第１システム制御部１４Ａは、動画撮影の終了要求があるか否かを判別する。動画撮影の終了要求がなければ、ステップＳ１０１に戻り、ステップＳ１０１以降の光リセット処理を繰り返す。一方、ステップＳ１０６において、動画撮影の終了要求があると判別された段階で、この光リセット処理が終了する。
【０１０４】
図１０の例で示すと、例えばＮ−１（Ｎ＝２、３、・・・）回目の放射線撮影の開始時点ｔｎ−１において、第１システム制御部１４Ａは、放射線照射装置２８に曝射開始信号Ｓｃを出力し、放射線検出装置３０に動作開始信号Ｓｄを出力することで、第１システム制御部１４ＡにＮ−１回目の放射線撮影による放射線画像Ｄａが供給される。第１システム制御部１４Ａは、供給された放射線画像Ｄａをコンソール１６に転送し、Ｎ−１フレーム目の放射線画像としてモニタ１８に表示させる。
【０１０５】
同様に、上述の開始時点ｔｎ−１から最新のフレームレートＦｒが経過したＮ回目の放射線撮影の開始時点ｔｎにおいて、第１システム制御部１４Ａは、放射線照射装置２８に曝射開始信号Ｓｃを出力し、放射線検出装置３０に動作開始信号Ｓｄを出力することで、第１システム制御部１４ＡにＮ回目の放射線撮影による放射線画像Ｄａが供給される。第１システム制御部１４Ａは、供給された放射線画像Ｄａをコンソール１６に転送し、Ｎフレーム目の放射線画像としてモニタ１８に表示させる。これらの動作が繰り返されることで、モニタ１８には放射線画像の動画が表示されることになる。
【０１０６】
そして、例えばＮ−１回目の放射線撮影とＮ回目の放射線撮影の間において、第１システム制御部１４Ａから定期的に出力されたオン信号Ｓｏｎが放射線検出装置３０に供給されると、このオン信号Ｓｏｎの入力に基づいて光リセットが行われる。
【０１０７】
また、例えばＮ＋ｋ（ｋ＝１、２、３・・・）回目の放射線撮影とＮ＋ｋ＋１回目の放射線撮影の間において、強制リセットスイッチ１５８が操作されて強制リセット指示信号Ｓｒが供給されると、第１システム制御部１４Ａからオン信号Ｓｏｎが強制的に出力され、放射線検出装置３０に供給される。これにより、強制的に光リセットが行われることとなる。
【０１０８】
さらに、図１１に示すように、前回の光リセットが行われてから例えばｍ（ｍ＝例えば５０）回目の放射線撮影の開始時点の前段階（例えばＮ＋ｍ回目の放射線撮影の開始時点ｔｎ＋ｍの前段階）で、リセット無効スイッチ１５６が操作されてリセット無効指示信号Ｓｎが供給されると、本来、第１システム制御部１４Ａから定期的にオン信号Ｓｏｎが出力されるべきところ、光リセット無効部１６２での処理によって、オン信号Ｓｏｎの出力が停止され、これにより、光リセットは行われなくなる。この光リセットの無効処理は、リセット無効指示信号Ｓｎが供給されている期間Ｔａだけ行われる。
【０１０９】
ここで、放射線画像撮影システム１０の使用形態について図１２Ａ及び図１２Ｂを参照しながら説明する。
【０１１０】
この放射線画像撮影システム１０の使用形態としては、医師が被写体２４の体内、例えば図１２Ａ及び図１２Ｂに示すように、血管１６６内にカテーテル１６８を挿入し、該カテーテル１６８の進入状況を、モニタ１８に表示される放射線画像の動画を観察しながらリアルタイムで把握することが挙げられる。この場合に、血管１６６が例えば二股に分かれる分岐点１７０に差し掛かると、医師は、カテーテル１６８を進入すべき経路に正確に誘導するために、注意深く、モニタ１８に表示される動画を観察しながらカテーテル１６８の挿入操作を行うことになる。また、血管１６６内の狭窄部分１７２にステントとバルーンを位置決めさせる際にも、注意深く、モニタ１８に表示される動画を観察しながらカテーテル１６８の挿入操作を行うことになる。
【０１１１】
このような状況において、光リセットが行われると、ある一定時間（少なくともリセット光の照射時間及びリセット光の照射に伴う影響が収束するまでの時間）は、動画のための放射線撮影（透視撮影）を行うことができない、あるいは、行ったとしても撮影画像が乱れ、上述のようなカテーテル１６８の挿入操作に支障がでてくる懸念がある。
【０１１２】
そこで、医師は、上述のように、光リセットが実行されると困る場面で、リセット無効スイッチ１５６を操作することで、光リセットが行われなくなるため、光リセットに起因する上述した問題、注意深くカテーテル１６８を進入させなければならないときに、放射線撮影ができない、あるいは撮影画像が乱れてしまうという問題を未然に回避することができる。
【０１１３】
また、医師は、注意深くカテーテル１６８を進入させなければならない状況になる前に、予め強制リセットスイッチ１５８を操作して、強制的に光リセットを実行させることができるため、注意深く放射線画像を観察する必要があるときに、残像による画像乱れを未然に防ぐことができ、画質の良好な動画を観察しながらカテーテル１６８の挿入操作を行うことができる。
【０１１４】
また、強制光リセット部１６４からのオン信号Ｓｏｎを光リセット無効部１６２に供給するようにしたので、光リセットが実行されると困る場面で、医師が間違って強制リセットスイッチ１５８を操作しても、強制的に光リセットは行われないため、強制的な光リセットで医療行為に支障がきたすことを回避することができる。もちろん、上述した使用形態において、カテーテル１６８の先端が血管１６６の分岐点１７０に差し掛かった際に、動画が残像現象によって見づらくなっている場合、リセット無効スイッチ１５６の操作を止め、強制リセットスイッチ１５８を操作することで、光リセットが実行されるため、その後、残像がほとんどない動画を観察しながらカテーテル１６８の操作を行うことが可能となる。
【０１１５】
次に、操作性を向上させたいくつかのシステム制御部１４（第２システム制御部１４Ｂ〜第４システム制御部１４Ｄ）について、図１３〜図１７を参照しながら説明する。
【０１１６】
先ず、第２システム制御部１４Ｂは、図１３に示すように、上述した第１システム制御部１４Ａとほぼ同様の構成を有するが、強制リセットスイッチ１５８を操作する目安となるガイダンスを出力するガイダンス出力部１７４を有する点で異なる。
【０１１７】
ガイダンス出力部１７４は、放射線画像の残像状況を客観的な数値あるいはグラフ等で表示し、医師が放射線画像の残像状況を一目で確認できるようにしたものである。
【０１１８】
ガイダンス出力部１７４としては、例えば２つの方式があり、第１方式のガイダンス出力部は、図１４Ａに示すように、最後のリセット光の照射から放射線検出装置３０に蓄積される累積被曝線量を演算する累積被曝線量演算部１７６を有する。
【０１１９】
この実施の形態において、累積被曝線量は、１撮影手技における連続撮影（動画撮影）での累積を指す。従って、累積被曝線量は、例えば、光電変換部７２の各画素７６によって検出した放射線の線量の最大値（最大画素値）を撮影毎に累積した値、あるいは、光電変換部７２の特定の画素７６が検出した放射線の線量を撮影毎に累積した値とすることができる。
【０１２０】
従って、累積被曝線量演算部１７６は、積算用レジスタ１７８と、画素値積算部１８０と、積算値リセット部１８２と、数値変換部１８４とを有する。
【０１２１】
画素値積算部１８０は、放射線検出装置３０から順次送られてくる放射線画像Ｄａの各画素値のうち、最大の画素値（最大画素値）、あるいは特定の画素の画素値を読み出し、積算用レジスタ１７８の積算値と加算して再び積算用レジスタ１７８に格納する。
【０１２２】
積算値リセット部１８２は、光リセット無効部１６２からのオン信号Ｓｏｎの入力に基づいて、積算用レジスタ１７８の積算値を０にリセットする。もちろん、動画撮影の開始前において、積算用レジスタには０が格納されて初期化されている。
【０１２３】
数値変換部１８４は、積算用レジスタ１７８の積算値を、予め設定された最大値に対する割合（例えば百分率）に変換し、累積被曝線量の情報としてコンソール１６に出力する。予め設定された最大値としては、例えば画素値の上限値に、オン信号出力部１６０から定期的に出力されるオン信号Ｓｏｎの１周期に実行される放射線撮影の回数を乗算した数値が挙げられる。
【０１２４】
第２方式のガイダンス出力部１７４は、図１４Ｂに示すように、最後の前記リセット光の照射からの経過時間を計時する経過時間計時部１８６と、計時用レジスタ１８８と、計時リセット部１９０と、数値変換部１８４とを有する。
【０１２５】
経過時間計時部１８６は、基準クロックｃｌｋを計数して計時用レジスタ１８８に格納する。計時リセット部１９０は、光リセット無効部１６２からのオン信号Ｓｏｎの入力に基づいて、計時用レジスタ１８８の値を０にリセットする。
【０１２６】
数値変換部１８４は、計時用レジスタ１８８の値を、予め設定された最大値に対する割合（例えば百分率）に変換し、経過時間の情報としてコンソール１６に出力する。予め設定された最大値としては、オン信号出力部１６０から定期的に出力されるオン信号Ｓｏｎの１周期の時間が挙げられる。
【０１２７】
コンソール１６は、ガイダンス出力部１７４からの累積被曝線量の情報あるいは経過時間の情報をモニタ１８に表示する。この場合、例えば図１２Ａに示すように、累積被曝線量の情報あるいは経過時間の情報を、モニタ１８の画面の例えば左上、あるいは右上等に数値１９２で表示する。又は、モニタ１８の画面の例えば左上、あるいは右上等に、累積被曝線量の情報あるいは経過時間の情報をバー１９４で表示する。
【０１２８】
そして、図１２Ａの数値表示及び図１２Ｂのバー表示ともに、例えば７０％未満のときは、緑色表示し、７０％を超えた段階で、赤色表示する。９０％を超えた段階で、点滅表示するようにしてもよい。
【０１２９】
上述した放射線画像撮影システム１０の使用形態において、医師は、カテーテル１６８を進入すべき経路に正確に誘導するために、注意深く、モニタ１８に表示される動画を観察しながらカテーテル１６８の挿入操作を行うが、動画に残像現象が生じていると、焦点が定まらず、目が疲れやすくなる。そこで、強制リセットスイッチ１５８を操作することで、事前に光リセットがなされるため、残像現象に惑わされることがなくなる。その一方で、残像現象が弱く、それほど気にならないようであれば、いちいち強制リセットスイッチ１５８を操作する必要もない。しかし、医師によっては、あるいは撮影部位、目の疲れ度合いによって、主観的に残像現象が弱いのか強いのかを判別するしかなく、結果的に、強制リセットスイッチ１５８を操作する頻度が高くなってしまい、医師に、スイッチの操作に煩わしさを感じさせるおそれがある。
【０１３０】
そこで、この第２システム制御部１４Ｂでは、ガイダンス出力部１７４によって、残像状況（残像の度合い）が数値としてあるいはバー表示として客観的に示されるため、医師は、数値表示やバー表示によって残像の度合いを一目で確認することができ、強制リセットスイッチ１５８を操作する目安にすることができる。しかも、残像の度合いが高くなれば、赤色表示、点滅表示等がなされるため、赤色表示、点滅表示を頼りに、強制リセットスイッチ１５８を操作することも可能となる。これによって、医師に、スイッチの操作に煩わしさを感じさせることがなくなる。
【０１３１】
次に、第３の具体例に係るシステム制御部（以下、第３システム制御部１４Ｃと記す）について図１５及び図１６を参照しながら説明する。
【０１３２】
第３システム制御部１４Ｃは、図１５に示すように、上述した第２システム制御部１４Ｂとほぼ同様の構成を有するが、リセット無効スイッチ１５６の代わりに、放射線検出装置３０からの放射線画像Ｄａの解析結果に基づいて、リセット無効指示信号Ｓｎを出力するリセット無効指示部１９６を有する点で異なる。
【０１３３】
リセット無効指示部１９６は、放射線検出装置３０からの放射線画像Ｄａのうち、指定された被写体２４の特定画像と、被写体２４に挿入された器具（例えばカテーテル１６８）の画像との位置関係に基づいて、リセット無効指示信号Ｓｎを出力する。
【０１３４】
具体的には、リセット無効指示部１９６は、範囲指定要求部１９８と、特定画像設定部２００と、器具画像設定部２０２と、リセット無効判別部２０４とを有する。
【０１３５】
範囲指定要求部１９８は、特定画像の範囲を指定することを促す要求信号Ｓｅと、メッセージＤｍをコンソール１６に出力する。コンソール１６は、入力されたメッセージをモニタ１８に表示する。医師は、モニタ１８に表示されたメッセージに基づいて、モニタ１８に表示されている動画のうち、光リセットが実行されてほしくない範囲（特定画像）を指定する。この指定は、例えばマウスを使ってドラッグアンドドロップで四角あるいは円形の枠で囲むようにしてもよいし、モニタ１８がタッチパネル方式を採用していれば、指あるいはペンを使って、例えば円を描くようにして範囲を指定してもよい。
【０１３６】
また、コンソール１６は、要求信号Ｓｅの入力に基づいて、アドレス情報Ｄａｄ（フレームメモリに対するモニタ１８の表示領域の第１相対アドレス範囲及びモニタ１８の表示領域に対する指定された特定画像の第２相対アドレス範囲）を第３システム制御部１４Ｃに返信する。このアドレス情報Ｄａｄは特定画像設定部２００に供給される。
【０１３７】
特定画像設定部２００は、供給されたアドレス情報Ｄａｄのうち、第１相対アドレス範囲から、放射線画像Ｄａのうち、モニタ１８に表示されている画像のアドレス範囲を特定し、さらに、この特定したアドレス範囲と、第２相対アドレス範囲とから、放射線画像Ｄａのうち、医師が指定した特定画像のアドレス範囲を設定する。
【０１３８】
器具画像設定部２０２は、順次送られてくる複数のフレームの放射線画像Ｄａから、最も動き量の大きい画像を抽出し、その移動方向先端部分のアドレス（最新の放射線画像上のアドレス）を求め、器具（カテーテル１６８）の画像のアドレスとする。最も動き量の大きい画像を抽出する手法は、例えば既知のフレーム間予測で用いられている動きベクトル探索を好ましく採用することができる。
【０１３９】
リセット無効判別部２０４は、医師が指定した特定画像のアドレス範囲に器具の画像のアドレスが含まれていなければ、リセット無効指示信号Ｓｎを出力せず、特定画像のアドレス範囲に器具の画像のアドレスが含まれていれば、リセット無効指示信号Ｓｎを出力する。特に、リセット無効判別部２０４は、特定画像のアドレス範囲に器具の画像のアドレスが含まれている期間Ｔａにかけてリセット無効指示信号Ｓｎを出力し続ける。
【０１４０】
この第３システム制御部１４Ｃでは、上述した放射線画像撮影システム１０の使用形態において、医師が、モニタ１８に表示されている動画のうち、光リセットが実行されてほしくない範囲（特定画像）をマウスやタッチパネル等を使用して指定するだけで、自動的に、カテーテル１６８の先端が指定された範囲に入ってから出るまでリセット無効指示信号Ｓｎが出力され続けることとなり、その期間Ｔａは、光リセットは行われない。これにより、医師は、リセット無効スイッチ１５６の操作を行う必要がなくなることから、カテーテル１６８の操作に専念することが可能となる。
【０１４１】
ところで、この第３システム制御部１４Ｃでは、リセット無効スイッチ１５６の操作を行う必要がないことから、第１システム制御部１４Ａのように、カテーテル１６８の先端が血管１６６の分岐点１７０に差し掛かった際に、動画が残像現象によって見づらくなっている場合、リセット無効スイッチ１５６の操作を一旦止めて、強制リセットスイッチ１５８を操作するという切り替え操作ができない。そこで、この第３システム制御部１４Ｃでは、強制光リセット部１６４からのオン信号Ｓｏｎを、光リセット無効部１６２を経ることなく、放射線検出装置３０に供給させて、強制的に光リセットを実行させるようにしている。これにより、光リセット無効部１６２に、リセット無効指示信号Ｓｎが供給されていても、強制リセットスイッチ１５８を操作することで、強制的に光リセットを行うことができ、上述のような残像による影響を回避することができる。
【０１４２】
この第３システム制御部１４Ｃでの光リセット処理部１４８の処理動作を図１６を参照しながら説明すると、先ず、ステップＳ２０１において、強制光リセット部１６４は、強制光リセット指示があるか否かを判別する。この判別は、強制リセット指示信号Ｓｒの入力があるかどうかで行われる。
【０１４３】
強制リセット指示信号Ｓｒの入力があれば、ステップＳ２０２に進み、強制光リセット部１６４は、光リセットを行うためのオン信号Ｓｏｎを放射線検出装置３０に出力する。これにより、ステップＳ２０３において、光電変換部７２にリセット光が照射され、光リセットが行われる。
【０１４４】
一方、ステップＳ２０１において、強制光リセット指示がないと判別された場合は、ステップＳ２０４に進み、光リセット無効部１６２は、光リセットの実行指示か否かを判別する。この判別は、オン信号出力部１６０からオン信号Ｓｏｎが供給されているかどうかで行われる。オン信号Ｓｏｎが供給されていれば（光リセットの実効指示）、次のステップＳ２０５に進み、光リセット無効部１６２は、リセット無効指示中であるか否かを判別する。この判別は、リセット無効指示信号Ｓｎが供給中であるかどうかで行われる。リセット無効指示信号Ｓｎが供給中されていれば（リセット無効指示中）、次のステップＳ２０６に進み、オン信号Ｓｏｎの出力を停止して、光リセットの実効指示を無効にする。その後、ステップＳ２０１に戻り、ステップＳ２０１以降の処理を繰り返す。
【０１４５】
そして、ステップＳ２０５においてリセット無効指示中でないと判別された場合は、ステップＳ２０２及びステップＳ２０４を経て、光電変換部７２にリセット光が照射され、光リセットが行われる。
【０１４６】
前記ステップＳ２０５において、光リセットの実行指示でないと判別された場合、あるいは、ステップＳ２０３において、光リセットが実行された段階で、次のステップＳ２０７に進み、第３システム制御部１４Ｃは、動画撮影の終了要求があるか否かを判別する。動画撮影の終了要求がなければ、ステップＳ２０１に戻り、ステップＳ２０１以降の光リセット処理を繰り返す。一方、ステップＳ２０７において、動画撮影の終了要求があると判別された段階で、この光リセット処理が終了する。
【０１４７】
次に、第４の具体例に係るシステム制御部（以下、第４システム制御部１４Ｄと記す）について図１７を参照しながら説明する。
【０１４８】
この第４システム制御部１４Ｄは、図１７に示すように、上述した第３システム制御部１４Ｃとほぼ同様の構成を有するが、強制リセットスイッチ１５８の代わりに、放射線画像Ｄａの解析結果に基づいて、強制リセット指示信号Ｓｒを出力する強制リセット指示部２０６を有する点で異なる。なお、図１７において、動画撮影処理部１４６の詳細については省略する。
【０１４９】
強制リセット指示部２０６は、放射線検出装置３０からの放射線画像Ｄａのうち、指定された被写体２４の特定画像と、被写体２４に挿入された器具（例えばカテーテル１６８）の画像との位置関係に基づいて、強制リセット指示信号Ｓｒを出力する。
【０１５０】
具体的には、強制リセット指示部２０６は、移動ベクトル演算部２０８と、特定画像選択部２１０と、到達時間演算部２１２と、強制リセット判別部２１４とを有する。
【０１５１】
移動ベクトル演算部２０８は、上述したリセット無効指示部１９６の器具画像設定部２０２にて求められた器具画像のアドレスに基づいて、器具画像の移動方向と移動速度を求める。器具画像設定部２０２から供給される器具画像のアドレスは、フレーム単位に刻々と変化する。従って、移動ベクトル演算部２０８は、刻々変化するアドレスに基づいて器具画像の移動方向と動き量を求め、この動き量と最新のフレームレートに基づいて器具画像の移動速度を求める。
【０１５２】
特定画像選択部２１０は、上述したリセット無効指示部１９６の特定画像設定部２００にて設定された１以上の特定画像のアドレス範囲と、器具画像設定部２０２からの器具画像のアドレスと、移動ベクトル演算部２０８からの器具画像の移動方向に基づいて、器具画像の移動方向にある最も近い特定画像のアドレス範囲を選択する。
【０１５３】
到達時間演算部２１２は、器具画像のアドレスと、選択された特定画像のアドレス範囲に基づいて、器具画像から選択された特定画像までの距離を演算し、さらに、得られた距離と、移動ベクトル演算部２０８からの器具画像の移動速度に基づいて到達時間を演算する。
【０１５４】
強制リセット判別部２１４は、到達時間演算部２１２にて得られた到達時間が予め設定された時間となった段階で、強制リセット指示信号Ｓｒを出力する。これによって、強制的に光リセットが実行されることとなる。予め設定された時間としては、少なくともリセット光の照射時間（パルス信号のパルス幅）とリセット光の照射に伴う影響が収束するまでの時間を加算した時間を好ましく採用することができる。
【０１５５】
この第４システム制御部１４Ｄでは、上述した放射線画像撮影システム１０の使用形態において、モニタ１８に表示されている動画のうち、光リセットが実行されてほしくない範囲（特定画像）をマウスやタッチパネル等を使用して指定するだけで、医師が、注意深くカテーテルを進入させなければならない状況になる前に、自動的に、且つ、強制的に光リセットを実行させることができるため、注意深く放射線画像を観察する必要があるときに、残像による画像乱れを未然に防ぐことができ、画質の良好な動画を観察しながらカテーテルの挿入操作を行うことができる。これにより、医師は、リセット無効スイッチ１５６に加えて、強制リセットスイッチ１５８の操作を行う必要がなくなることから、カテーテル１６８の操作に専念することが可能となる。
【０１５６】
上述の例では、システム制御部１４に、光リセット処理部１４８やガイダンス出力部１７４を組み込んだ例を示したが、その他、図１８に示すように、放射線検出装置３０のカセッテ制御部６８に組み込むようにしてもよい。
【０１５７】
すなわち、カセッテ制御部６８は、上述したアドレス信号発生部１３６、画像メモリ１３８、カセッテＩＤメモリ１４０、パルス信号生成部１４４のほか、上述の光リセット処理部１４８とガイダンス出力部１７４とを有する。また、放射線検出装置３０は、ケーシング４０又はケーシング４０外に、上述のリセット無効スイッチ１５６と、強制リセットスイッチ１５８が設置されている。リセット無効スイッチ１５６及び強制リセットスイッチ１５８をケーシング４０外に設置する場合は、有線又は無線にて電気的に接続される。さらに、放射線検出装置３０には、例えば携帯用の端末２１６（表示部を有する）が有線又は無線にて電気的に接続される。
【０１５８】
端末は、コンソールを介して送られてくる放射線画像を表示して放射線画像の動画を表示するようにしてもよいし、放射線検出装置から直接送られてくる放射線画像を表示して放射線画像の動画を表示するようにしてもよい。この場合に、図１２Ａや図１２Ｂに示すように、ガイダンス表示するようにしてもよい。
【０１５９】
もちろん、カセッテ制御部６８に、第３システム制御部１４Ｃに組み込んだリセット無効指示部１９６や、第４システム制御部１４Ｄに組み込んだ強制リセット指示部２０６を組み込むようにしてもよい。
【０１６０】
なお、本発明に係る放射線画像撮影システム及び放射線検出装置は、上述の実施の形態に限らず、本発明の要旨を逸脱することなく、種々の構成を採り得ることはもちろんである。
【図１】
2013061762.tif 000003
【図２】
2013061762.tif 000004
【図３】
2013061762.tif 000005
【図４】
2013061762.tif 000006
【図５】
2013061762.tif 000007
【図６】
2013061762.tif 000008
【図７】
2013061762.tif 000009
【図８】
2013061762.tif 000010
【図９】
2013061762.tif 000011
【図１０】
2013061762.tif 000012
【図１１】
2013061762.tif 000013
【図１２】
2013061762.tif 000014
【図１３】
2013061762.tif 000015
【図１４】
2013061762.tif 000016
【図１５】
2013061762.tif 000017
【図１６】
2013061762.tif 000018
【図１７】
2013061762.tif 000019
【図１８】
2013061762.tif 000020
【国際調査報告】
2013061762.tif 000021
2013061762.tif 000022
2013061762.tif 000023
2013061762.tif 000024